(57)【要約】  ソフトプルーフを非標準照明の下で見たハードコピープルーフと比較するときに、照明の効果を補償する方法が、印刷色のセットに対して、標準照明に対応する装置に依存しない色データを獲得するステップ（１１０）と、その非標準照明に対する装置に依存しない色データを獲得するステップ（１２０）と、を包含する。本方法はさらに、標準照明に対応する装置に依存しない色データ及びディスプレイに対応する色データから構築されたディスプレイプロファイルを使用して印刷色のセットをディスプレイにレンダリングするときに、ディスプレイ上で測定されるべき第１の装置に依存しない色データを各色に対して推定するステップ（１３０）と、ディスプレイプロファイルが調整されたら、ディスプレイ上で測定されるべき第２の装置に依存しない色データを推定するステップ（１４０）と、標準照明に対応する印刷色に対して、第２の装置に依存しない色データと装置に依存しない色データとの間の差を計算するステップ（１５０）と、差を低減するようにディスプレイプロファイルを調整するステップ（１６０）と、を包含する。
2012504255.tif 000002
【特許請求の範囲】
【請求項１】
ソフトプルーフを第１の照明の下で見たハードコピープルーフと比較するときに、照明の効果を補償する方法であって、
印刷色のセットに対して、標準照明に対応する装置に依存しない色データを獲得するステップと、
前記印刷色のセットに対して、前記第１の照明に対応する装置に依存しない色データを獲得するステップと、
標準照明に対応する前記装置に依存しない色データ及びディスプレイに対応する色データから構築されたディスプレイプロファイルを使用して前記印刷色のセットを前記ディスプレイにレンダリングするときに、前記ディスプレイ上で測定されるべき第１の装置に依存しない色データを推定するステップと、
前記ディスプレイプロファイルが調整されたら、前記ディスプレイ上で測定されるべき第２の装置に依存しない色データを推定するステップと、
前記標準照明に対応する前記印刷色に対して、前記第２の装置に依存しない色データと前記装置に依存しない色データとの間の差を計算するステップと、
前記差を低減するように前記ディスプレイプロファイルを調整するステップと、
を包含する、方法。
【請求項２】
前記獲得ステップが、前記印刷色のセットにおける各印刷色に対する反射率スペクトルを決定するステップと、前記標準照明及び前記第１の照明を使用して前記装置に依存しない色データを計算するステップと、を包含する、請求項１に記載の方法。
【請求項３】
前記第２の照明に対する前記装置に依存しない色データが、直接放射スペクトル測定から計算される、請求項１に記載の方法。
【請求項４】
前記獲得ステップが、前記標準照明又は前記第１の照明のいずれかに対応するプロファイルから、前記装置に依存しない色データを決定するステップを包含する、請求項１に記載の方法。
【発明の詳細な説明】
【技術分野】
【０００１】
本発明は、Ｄ５０照明光をシミュレートするように設計された蛍光灯のような不完全な標準照明光の効果をシミュレートするために、現存する正確なディスプレイプロファイルを調整することに関する。
【背景技術】
【０００２】
（昼光のシミュレーションのためのＤ５０標準のような）昼光の振る舞いを模擬するように設計された蛍光灯は、照明に対する国際規格、例えばＩＳＯ３６６４の要件に従う。これらの標準は、ハードコピープルーフ作成の要件に対して最適化された。これは、Ｄ５０標準照明を使用している計算が、色が合致することを予測したら、インクジェットプルーフ及びプレスシートのような異なる印刷媒体が昼光シミュレータの下で数値的及び視覚的に合致しなければならないことを意味する。
【０００３】
これら標準は、Ｄ５０シミュレータのためのＤ５０の絶対的シミュレーションに関しては、それほど厳密ではない。例えば、インクジェットプリンタ及びプリンティングプレスで印刷された濃淡の無い黄色は、特定のＤ５０シミュレータに対しては、緑の方向に５ΔＥだけシフトされ得る。その照明光は、２つの色の間の差が小さい限りは、依然としてＤ５０に対する許容可能な近似とみなされるであろう。
【先行技術文献】
【特許文献】
【０００４】
【特許文献１】米国特許出願公開２００６／０１８１７２３号明細書
【発明の概要】
【発明が解決しようとする課題】
【０００５】
Ｄ５０の相対的シミュレーション対絶対的シミュレーションに基づく蛍光灯のこの特性は、ディスプレイを、Ｄ５０シミュレータで見られた印刷されたイメージに合致させようと試みるときに問題になる。この場合、ディスプレイは、理論的なＤ５０で見られた色をシミュレートするために、キャリブレーションされ且つプロファイリングされる。Ｄ５０に対するΔＥの合致は、絶対的な意味で非常に正確になされることができる。Ｄ５０シミュレータが、実際のところＤ５０からスペクトル的に著しく異なっていて、絶対的な色のレンダリングに顕著なシフトをもたらす結果となったら、Ｄ５０シミュレータにおける印刷イメージとディスプレイ上のイメージとの間に顕著な差が存在するであろう。
【０００６】
そのような達成目標（チャレンジ）に注意を払うものにとって、照明のスペクトルを測定し、ＸＹＺ及びＣＩＥＬＡＢの値を再計算し、印刷されたカラー媒体の特徴付けのために新しいＩＣＣプロファイルを生成することによって、この問題を克服することが可能である。このアプローチの達成目標は、全てのプロファイルが、その視野環境、ならびにパントン（登録商標）色ライブラリのリストのような各々の命名された色に対するＣＩＥＬＡＢ値のリストを典型的に含むスポット色のデータベースに対して、そのように生成されなければならないことである。このアプローチは、将来的には便利であるかもしれないが、理論的なＤ５０照明でＣＩＥＬＡＢに対して最適化された現在の色管理インフラストラクチュアでは、便利ではない。
【課題を解決するための手段】
【０００７】
本発明は、ソフトプルーフを標準照明とは異なる非標準照明の下で見たハードコピープルーフと比較するときに、照明の効果を補償する方法である。図１に示されているように、本方法は、印刷色のセットに対して、標準照明に対応する装置に依存しない色データを獲得するステップ（１１０）と、その印刷色のセットに対して、非標準照明に対応する装置に依存しない色データを獲得するステップ（１２０）と、を包含する。本方法はさらに、標準照明に対応する装置に依存しない色データ及びディスプレイに対応する色データから構築されたディスプレイプロファイルを使用して印刷色のセットをディスプレイにレンダリングするときに、ディスプレイ上で測定されるべき第１の装置に依存しない色データを各色に対して推定するステップ（１３０）と、ディスプレイプロファイルが調整されたら、ディスプレイ上で測定されるべき第２の装置に依存しない色データを推定するステップ（１４０）と、標準照明に対応する印刷色に対して、第２の装置に依存しない色データと装置に依存しない色データとの間の差を計算するステップ（１５０）と、差を低減するようにディスプレイプロファイルを調整するステップ（１６０）と、を包含する。
【図面の簡単な説明】
【０００８】
【図１】ソフトプルーフを第１の照明の下で見たハードコピープルーフと比較するときに、照明の効果を補償する方法を示す流れ図である。
【図２】調整されたＲＧＢプロファイルを決定して非標準照明の効果をシミュレートするためのプロセッサを示す図である。
【図３】ソフトプルーフを第１の照明の下で見たハードコピープルーフと比較するときに、照明の効果を補償する詳細な方法を示す流れ図である。
【発明を実施するための形態】
【０００９】
本発明は、ソフトプルーフを標準照明とは異なる非標準照明の下で見たハードコピープルーフと比較するときに、照明の効果を補償する方法である。図１に示されているように、本方法は、印刷色のセットに対して、標準照明に対応する装置に依存しない色データを獲得するステップ（１１０）と、その印刷色のセットに対して、非標準照明に対応する装置に依存しない色データを獲得するステップ（１２０）と、を包含する。本方法はさらに、標準照明に対応する装置に依存しない色データ及びディスプレイに対応する色データから構築されたディスプレイプロファイルを使用して印刷色のセットをディスプレイにレンダリングするときに、ディスプレイ上で測定されるべき第１の装置に依存しない色データを各色に対して推定するステップ（１３０）と、ディスプレイプロファイルが調整されたら、ディスプレイ上で測定されるべき第２の装置に依存しない色データを推定するステップ（１４０）と、標準照明に対応する印刷色に対して、第２の装置に依存しない色データと装置に依存しない色データとの間の差を計算するステップ（１５０）と、差を低減するようにディスプレイプロファイルを調整するステップ（１６０）と、を包含する。
【００１０】
標準照明に対応する装置に依存しない色データは、印刷色のセットにおける各印刷色に対して反射率スペクトルを決定し、標準照明及び第１の照明を使用して装置に依存しない色データを計算することによって、獲得されることができる。第２の照明に対する装置に依存しない色データは、直接放射スペクトル測定から計算されることができる。装置に依存しない色データは、標準照明又は第１の照明のいずれかに対応するプロファイルから決定されることができる。
【００１１】
ある実施形態では、本発明は、上記の問題を、ディスプレイに対してカラーイメージをレンダリングするために使用されるＲＧＢ  ＩＣＣプロファイルの最適化された調整を介して克服することを提案する。本方法は、図２に示されるプロセッサシステムを使用して実行され、ここでは、プロセッサ２４０は、例えば、ＸＹＺD50データ２１０、ＸＹＺD50 Simulationデータ２２０、及びＲＧＢディスプレイプロファイル２３０を使用して、調整されたＲＧＢプロファイルを計算し、第１の照明の効果をシミュレートして、照明光源が調整されたＲＧＢディスプレイプロファイル２５０を出力する。
【００１２】
この方法は、図３に詳細に示されているように、以下のようなものである。
−Ｄ５０又は何らかの他の選択された参照照明光源に対する標準反射測定装置を使用して、印刷された色のセットに対するＣＩＥＬＡＢ（又は他の比色データ）又はスペクトル反射率データを測定する（３１０）。
−Ｄ５０シミュレータの下で放射的に同じ色を測定する（３２０）か、又は、上記のステップでそのように測定されたときには、Ｄ５０シミュレータのスペクトルにスペクトル反射率を乗算することによって、期待される放射測定値を計算する。
−各色に対して、放射ＸＹＺデータをスケーリングし（３２５）、最も白い色の反射及び放射データを比較し且つ最も白い色サンプルに対するＸＹＺreflective／ＸＹＺemissiveを各ＸＹＺemissiveに乗算することによって、ＣＩＥＬＡＢを計算する。
−そのディスプレイに対して、ＲＧＢをＸＹＺに及びＸＹＺをＲＧＢに正確に変換するディスプレイプロファイルを特定する（３３０）。
−そのディスプレイプロファイルを調整する（３４０）。
−調整されたディスプレイプロファイルを使用して、ＸＹＺD50の各値をＲＧＢdisplayに変換する（３５０）。
−未調整ディスプレイプロファイルでＲＧＢdisplayをＸＹＺAdjに変換する（３６０）。
−ＸＹＺAdjとＸＹＺD50 Simulationとの間の差を計算する（３７０）。
−ＸＹＺAdjとＸＹＺD50 Simulationとの間の差が所定の差よりも小さいかどうかを判定する（３８０）。
−この差が所定の差よりも小さければ、そのときには、調整されたＲＧＢディスプレイプロファイルを出力してセーブし、そうでなければ、上記の（３４０）に戻る。
−ＸＹＺ'emissive及びＸＹＺreflectiveが許容可能な公差の範囲内になるまで、上記のプロセスを続ける。
−調整されたＲＧＢプロファイルを出力して照明光源の効果をシミュレートする（３９０）。
【００１３】
上記のステップ（３５０、３６０、及び３７０）は、あたかも色管理を使用して実行されているかのように色をディスプレイのＲＧＢ値に変換し、それから正確な未調整のプロファイルを使用して、調整の測定されたインパクトを推定することによって、ＲＧＢプロファイルの改変のインパクトを決定する。これは好ましくは、知覚的に一様な色空間における所定の値より低く誤差を低減するために、ＸＹＺ'emissive及びＸＹＺreflectiveをＣＩＥＬＡＢ'emissive及びＣＩＥＬＡＢreflectiveに変換することによって達成されるべきである。差低減プロセスに対する自動化されたアプローチは、色のサンプルセットに対するＣＩＥＬＡＢ'emissive及びＣＩＥＬＡＢreflectiveの間のΔＥ差の二乗の和のようなコスト関数を定義し、そのコスト関数を、ＲＧＢディスプレイプロファイルを規定するパラメータを調整することによって、所定の値より低く低減することである。パウエルの方法のような良く知られた方法が、コスト関数の自動反復誤差低減を実行するために使用されることができる。
【００１４】
本発明の一つの実施形態では、ステップ３１０又は３２０が、標準Ｄ５０照明又はシミュレートされたＤ５０照明を使用して計算されたＬ*ａ*ｂ*の値を使用して構築された印刷色に対するプロファイルを使用することによって、及び各ＣＭＹＫ色値をＸＹＺreflective及びＸＹＺemissiveに変換することによって実行され、それによって、ステップ３１０及び３２０の結果をシミュレートする。
【００１５】
ＲＧＢプロファイルに対する調整に関して、大抵のＤ５０シミュレータの効果は、各ＲＧＢチャンネルに対する色度ｘ、ｙの値を調整することによって、有彩色に対して取り扱われることができる。さらなる改良は、共通して譲渡された米国特許出願についての米国特許出願公開第２００６／０１８１７２３号明細書（エッジ）に記載されているように、ＲＧＢ全域の６つのＲＧＢＣＭＹ頂点に対する選択的な調整を実行することによって、達成されることができる。最近のテストでは、色度のみを調整することによって約１〜1.5ΔＥの精度が達成され、ＲＧＢプロファイルのＲＧＢＣＭＹ頂点をさらに調整することによってほぼ零誤差が達成された。
【００１６】
スペクトル測定装置はしばしば分解能で制限されるので、Ｄ５０照明下の色の見え方とＤ５０シミュレータからの照明下のものとの間のΔＥ差の実際の大きさは、色の方向においては正しいが、大きさにおいては過小評価され得る。例えば、ディスプレイプロファイルの調整の実行に先立って、視覚的な差の真の大きさを獲得するために、乗算係数を使用してΔＬ*、Δａ*、Δｂ*などにおける全ての差を増すことができる。実際のテストでは、全ての差を２倍することで、実際のＤ５０照明を使用するものに対して、近似された又はシミュレートされたＤ５０照明を使用した真のインパクトが正確に獲得されることが見出された。
【符号の説明】
【００１７】
１１０  標準照明に対する装置に依存しない色データの獲得、１２０  非標準照明に対する装置に依存しない色データの獲得、１３０  ディスプレイ上で測定されるべき第１の装置に依存しない色データの推定、１４０  ディスプレイプロファイルが調整されたら、ディスプレイ上で測定されるべき第２の装置に依存しない色データの推定、１５０  第２の装置に依存しない色データと装置に依存しない色データとの間の差の計算、１６０  差を低減するためのディスプレイプロファイルの調整、２１０  ＸＹＺD50データ、２２０  ＸＹＺD50 Simulationデータ、２３０  ＲＧＢディスプレイプロファイル、２４０  プロセッサ、２５０  照明光源が調整されたＲＧＢディスプレイプロファイル、３１０  ＣＩＥＬＡＢデータの測定、３２０  同じ色の放射的な測定、３３０  ディスプレイプロファイルの特定、３４０  ディスプレイプロファイルの調整、３５０  ＸＹＺD50の各値をＲＧＢdisplayへの変換、３６０  未調整プロファイルでＲＧＢdisplayのＸＹＺAdjへの変換、３７０  ＸＹＺAdjとＸＹＺD50 Simulationとの間の差の計算、３８０  ＸＹＺAdjとＸＹＺD50 Simulationとの間の差が所定の差よりも小さいかどうかを判定、３９０  調整されたＲＧＢプロファイルを出力して照明光源の効果をシミュレート。
【図１】
2012504255.tif 000003
【図２】
2012504255.tif 000004
【図３】
2012504255.tif 000005
【国際調査報告】
2012504255.tif 000006
2012504255.tif 000007
2012504255.tif 000008